【手続補正書】
【提出日】平成26年2月10日(2014.2.10)
【手続補正１】
【補正対象書類名】特許請求の範囲
【補正対象項目名】全文
【補正方法】変更
【補正の内容】
【特許請求の範囲】
【請求項１】
切替可能イオン強度を有する切替可能添加物を含む水性液である切替可能水を提供するための手段；
水の存在下でイオン化誘因に切替可能水を曝露し、それにより添加物をプロトン化して、水混和性または水溶性であるプロトン化添加物を生成し、したがって切替可能水のイオン強度が増大するための手段；ならびに
（ｉ）熱、（ｉｉ）洗浄用気体、（ｉｉｉ）真空または部分真空、（ｉｖ）撹拌、あるいは（ｖ）その任意の組合せに増大イオン強度の切替可能水を曝露して、それによりイオン化誘因の量を、切替可能添加物を転換するあるいは切替可能添加物をそのプロトン化形態に維持するのに不十分な量に減らし、したがって切替可能水のイオン強度が低減するための手段；
を包含し、
前記切替可能水は、水と、一般式（１）：
【化１】
2013518718.tif 000001
（式中、Ｒ１、Ｒ２およびＲ３は、独立して、
Ｈ；
線状、分枝または環状であって、アルキル基の１つ以上のＣが｛−Ｓｉ（Ｒ１０）２−Ｏ−｝により置き換えられてもよく、８（を含めて）個までのＣが８｛−Ｓｉ（Ｒ１０）２−Ｏ−｝により置き換えられる置換または非置換Ｃ１〜Ｃ８脂肪族基；
置換または非置換ＣｎＳｉｍ基（ここで、ｎおよびｍは、独立して、０〜８の数であり、そしてｎ＋ｍは１〜８の数である）；
置換または非置換Ｃ４〜Ｃ８アリール基（ここで、１つ以上のＣが｛−Ｓｉ（Ｒ１０）２−Ｏ−｝により置き換えられてもよい）；
４〜８個の環原子を有し、１つ以上の｛−Ｓｉ（Ｒ１０）２−Ｏ−｝を含んでもよい置換または非置換アリール基；
−（Ｓｉ（Ｒ１０）２−Ｏ）ｐ−鎖（ここで、ｐは１〜８である）であって、Ｈにより終結されるか、あるいは置換または非置換Ｃ１〜Ｃ８脂肪族および／またはアリール基により終結されるもの；あるいは置換または非置換（Ｃ１〜Ｃ８脂肪族）−（Ｃ４〜Ｃ８アリール）基（ここで１つ以上のＣが｛−Ｓｉ（Ｒ１０）２−Ｏ−｝により置き換えられてもよい）；
Ｒ１０は、置換または非置換Ｃ１〜Ｃ８脂肪族基、置換または非置換Ｃ１〜Ｃ８アルコキシ、置換または非置換Ｃ４〜Ｃ８アリール、置換または非置換脂肪族−アルコキシ、置換または非置換脂肪族−アリール、あるいは置換または非置換アルコキシ−アリール基であり；そして
置換基は、独立して、アルキル；アルケニル；アルキニル;アリール;アリール−ハリド;ヘテロアリール;シクロアルキル;Ｓｉ（アルキル）３; Ｓｉ（アルコキシ）３;ハロ;アルコキシル;アミノ;アルキルアミノ；アルケニルアミノ;アミド;ヒドロキシル;チオエーテル；アルキルカルボニル;アルキルカルボニルオキシ;アリールカルボニルオキシ；アルコキシカルボニルオキシ；アリールオキシカルボニルオキシ；カルボネート；アルコキシカルボニル；アミノカルボニル；アルキルチオカルボニル；アミジン；ホスフェート；リン酸エステル;ホスホナート；ホスフィナート；シアノ；アシルアミノ；イミノ；スルフヒドリル；アルキルチオ；アリールチオ；チオカルボキシレート；ジチオカルボキシレート;スルフェート；スルファト；スルホネート；スルファモイル；スルホンアミド；ニトロ；ニトリル；アジド；ヘテロシクリル；エーテル；エステル；ケイ素含有部分；チオエステル；またはその組合せであり；）を有する切替可能添加物と、を含む系。
【請求項２】
固体物質から少なくとも１つの選択化合物を除去するための系であって、
固体物質および少なくとも１つの選択化合物の混合物を、切替可能水と接触させるための手段（この場合、切替可能水は、その非プロトン化形態で切替可能添加物を含み、したがって、少なくとも１つの選択化合物の少なくとも一部は切替可能水と会合して、水溶液を形成するようになる）；
前記水溶液をイオン化誘因と接触させて、実質量の切替可能添加物をその非プロトン化形態からそのプロトン化形態に転換し、それにより切替可能水のイオン強度を増大して、少なくとも１つの選択化合物を含む第一液相および増大イオン強度の切替可能水を含む第二液相を有する二相液体混合物を形成するための手段；ならびに
第一液相から少なくとも１つの選択化合物を分離するための手段
を包含する、請求項１に記載の系。
【請求項３】
（ａ）少なくとも１つの選択化合物が夾雑する固体粒子を清掃するための系であって、
少なくとも１つの選択化合物の全部または一部が、非プロトン化切替可能添加物を含有する切替可能水中で可溶性または混和性であり、増大イオン強度の切替可能水中で不溶性または不混和性であり、そして固体粒子が非プロトン化切替可能添加物を含有する切替可能水中で不溶性であり、前記系がそれから固体粒子を単離するための手段を包含し；あるいは
（ｂ）化学反応の１つ以上の構成成分の単離に用いるための系であって、
前記化学反応の試薬を当該系に付加するための手段（この場合、化学反応の少なくとも１つの構成成分は、非プロトン化切替可能添加物を含有する切替可能水中で可溶性または混和性である）；ならびに
前記第一液相から化学反応の１つ以上の構成成分を収集するための手段
を包含する、
請求項２に記載の系。
【請求項４】
膜を横断する浸透圧勾配を調整するための系であって、
半透性膜であって、切替可能水が前記半透性膜の片面に位置する半透性膜；
前記半透性膜を供給流と接触させるための手段；ならびに
前記切替可能水を接触させてイオン化誘因の量を増大させて切替可能添加物をイオン化し、それにより切替可能水中の溶質濃度を増大し、浸透圧勾配を調整するための手段
を包含する、請求項１に記載の系。
【請求項５】
（ａ）脱塩のための系であって、さらに
水に対して選択的透過性である半透性膜；
切替可能イオン強度を有する添加物および水を含むドロー溶液；
前記半透性膜との会合の前または後にドロー溶液中のイオン化誘因の量を増大させて切替可能添加物をイオン化し、それによりドロー溶液のイオン強度を増大するための手段；ならびに
半透性膜と塩水溶液の供給流とを接触させて、塩水溶液から半透性膜を通してイオン化切替可能添加物を含む増大イオン強度のドロー溶液に水を流動させるための手段； 
を包含する；あるいは
（ｂ）希釈水溶液を濃縮するための系であって、さらに
水に対して選択的透過性である半透性膜；
切替可能水を含み、前記膜の片面に位置するドロー溶液；
半透性膜との会合の前または後にドロー溶液中のイオン化誘因の量を増大させて切替可能添加物をイオン化する手段；ならびに
半透性膜を希釈水溶液の供給流と接触させて、希釈水溶液から半透性膜を通してイオン化切替可能添加物を含む増大イオン強度のドロー溶液に水を流動させる手段； 
を包含する、
請求項１に記載の系。
【請求項６】
水から切替可能添加物を除去するための手段が、
（ａ）逆浸透系；あるいは
（ｂ）ドロー溶液および水の混合物中のイオン化誘因の量を減らして、切替可能添加物を脱プロトン化するための手段；ならびに
（ｃ）前記混合物から脱プロトン化切替可能添加物を分離するための手段
を包含する、請求項４に記載の系。
【請求項７】
前記イオン化誘因がＣＯ２である請求項１〜６のいずれか一項に記載の系。
【請求項８】
水溶液から溶質を分離する方法であって、
任意の順序で、水；溶質；ＣＯ２、ＣＯＳ、ＣＳ２またはその組合せ；ならびに炭酸によりプロトン化されるのに十分に塩基性である少なくとも１つの窒素原子を含む切替可能添加物、を併合すること；ならびに
窒素原子がプロトン化されるイオン化形態の切替可能添加物を含む第一構成成分；ならびに溶質を含む第二構成成分の２つの構成成分の分離を可能にすること
を包含し、
溶質が切替可能添加物、ＣＯ２、ＣＯＳ、ＣＳ２またはその組合せと反応性がない
方法。
【請求項９】
前記切替可能添加物が、式（１）：
【化２】
2013518718.tif 000002
（式中、Ｒ１、Ｒ２およびＲ３は、独立して、
Ｈ；
線状、分枝または環状であって、アルキル基の１つ以上のＣが｛−Ｓｉ（Ｒ１０）２−Ｏ−｝により置き換えられてもよく、８（を含めて）個までのＣが８｛−Ｓｉ（Ｒ１０）２−Ｏ−｝により置き換えられる置換または非置換Ｃ１〜Ｃ８脂肪族基；
置換または非置換ＣｎＳｉｍ基（ここで、ｎおよびｍは、独立して、０〜８の数であり、そしてｎ＋ｍは１〜８の数である）；
置換または非置換Ｃ４〜Ｃ８アリール基（ここで、１つ以上のＣが｛−Ｓｉ（Ｒ１０）２−Ｏ−｝により置き換えられてもよい）；
４〜８個の環原子を有し、１つ以上の｛−Ｓｉ（Ｒ１０）２−Ｏ−｝を含んでもよい置換または非置換アリール基；
−（Ｓｉ（Ｒ１０）２−Ｏ）ｐ−鎖（ここで、ｐは１〜８である）であって、Ｈにより終結されるか、あるいは置換または非置換Ｃ１〜Ｃ８脂肪族および／またはアリール基により終結されるもの；あるいは置換または非置換（Ｃ１〜Ｃ８脂肪族）−（Ｃ４〜Ｃ８アリール）基（ここで、１つ以上のＣが｛−Ｓｉ（Ｒ１０）２−Ｏ−｝により置き換えられてもよい）；
Ｒ１０は、置換または非置換Ｃ１〜Ｃ８脂肪族基、置換または非置換Ｃ１〜Ｃ８アルコキシ、置換または非置換Ｃ４〜Ｃ８アリール、置換または非置換脂肪族−アルコキシ、置換または非置換脂肪族−アリール、あるいは置換または非置換アルコキシ−アリール基であり；そして
置換基は、独立して、アルキル；アルケニル；アルキニル;アリール;アリール−ハリド;ヘテロアリール;シクロアルキル;Ｓｉ（アルキル）３; Ｓｉ（アルコキシ）３;ハロ;アルコキシル;アミノ;アルキルアミノ；アルケニルアミノ;アミド;ヒドロキシル;チオエーテル；アルキルカルボニル;アルキルカルボニルオキシ;アリールカルボニルオキシ；アルコキシカルボニルオキシ；アリールオキシカルボニルオキシ；カルボネート；アルコキシカルボニル；アミノカルボニル；アルキルチオカルボニル；アミジン；ホスフェート；リン酸エステル;ホスホナート；ホスフィナート；シアノ；アシルアミノ；イミノ；スルフヒドリル；アルキルチオ；アリールチオ；チオカルボキシレート；ジチオカルボキシレート;スルフェート；スルファト；スルホネート；スルファモイル；スルホンアミド；ニトロ；ニトリル；アジド；ヘテロシクリル；エーテル；エステル；ケイ素含有部分；チオエステル；またはその組合せである）の化合物である、請求項８に記載の方法。
【請求項１０】
（ａ）水、前記溶質および前記切替可能添加物の混合物が均質液である；
（ｂ）水および前記イオン化形態の切替可能添加物の混合物が均質液である；
（ｃ）水および前記イオン形態の前記切替可能添加物の混合物が懸濁液である；あるいは
（ｄ）水および前記イオン形態の前記切替可能添加物の混合物が固体である
請求項８または９に記載の方法。
【請求項１１】
（ａ）前記溶質が低イオン強度の水溶液中で可溶性または混和性であり、高イオン強度の水溶液中で不溶性または不混和性である；および／または
（ｂ）第一構成成分を単離すること、ならびにそれを非イオン化誘因に曝して、脱プロトン化切替可能添加物を含む水溶液を形成すること（この場合、非イオン化誘因は、（ｉ）熱、（ｉｉ）洗浄用気体、（ｉｉｉ）真空または部分真空、（ｉｖ）撹拌、あるいは（ｖ）その任意の組合せである）をさらに包含する、請求項８または９に記載の方法。
【請求項１２】
前記切替可能添加物が、（ａ）水溶性または水混和性である；あるいは（ｂ）前記添加物が水不溶性または水不混和性であり、前記方法が、第一構成成分を単離すること、ならびにそれを非イオン化誘因に曝して２つの相を有する混合物を生成することをさらに包含し、前記切替可能添加物が主に第一相内に分配され、そして水が主に第二相内に分配され、ならびに非イオン化誘因が（ｉ）熱、（ｉｉ）洗浄用気体、（ｉｉｉ）真空または部分真空、（ｉｖ）撹拌、あるいは（ｖ）その任意の組合せである、請求項８〜１１のいずれか一項に記載の方法。
【請求項１３】
前記イオン化形態の前記切替可能添加物が水溶性または水混和性である請求項８〜１２のいずれか一項に記載の方法。
【請求項１４】
（ａ）水溶液中の水のモル数および水溶液中の前記添加物中の塩基性窒素のモル数がほぼ等しい；あるいは
（ｂ）水溶液中の水のモル数が、水溶液中の前記切替可能添加物中の塩基性窒素のモル数を上回る、請求項８〜１３のいずれか一項に記載の方法。
【請求項１５】
イオン強度の調整方法であって、
水、ならびに炭酸によりプロトン化されるのに十分に塩基性である少なくとも１つの窒素を含む添加物を含む第一イオン強度を有する水溶液を提供すること；ならびに
前記水溶液を、ＣＯ２、ＣＯＳ、ＣＳ２またはその組合せと接触させて、前記添加物をプロトン化し、前記水溶液のイオン強度を第二イオン強度に上げること；
を包含し、
第二イオン強度を有する溶液を、（ｉ）熱、（ｉｉ）洗浄用気体、（ｉｉｉ）真空または部分真空、（ｉｖ）撹拌、あるいは（ｖ）その任意の組合せに曝すことによって、前記水溶液のイオン強度を第二イオン強度より小さくなるよう低減する、
方法。
【請求項１６】
分散液を不安定化するかまたは分散液の生成を防止するための方法であって、
混合物を生成するために、任意の順序で、水；水不混和性または水不溶性成分；炭酸によりプロトン化されるのに十分に塩基性である少なくとも１つの窒素を含む添加物；ならびにＣＯ２、ＣＯＳ、ＣＳ２またはその組合せを併合すること； 
混合物を、水不混和性成分を含む第一構成成分、ならびに水およびイオン形態の前記添加物を含む第二構成成分の２つの構成成分に分離させること
を包含する、請求項１５に記載の方法。
【請求項１７】
（ａ）前記分散液が乳濁液であり、水不混和性成分が液体または超臨界流体である；
（ｂ）前記分散液が逆相乳濁液であり、水不混和性成分が液体または超臨界流体である；
（ｃ）前記分散液が発泡体であり、水不混和性成分が気体である；あるいは
（ｄ）前記分散液が懸濁液であり、水不混和性成分が固体である
請求項１６に記載の方法。
【請求項１８】
前記切替可能添加物が、
ＭＤＥＡ（Ｎ−メチルジエタノール−アミン）；
ＴＭＤＡＢ（Ｎ，Ｎ，Ｎ’，Ｎ’−テトラメチル−１，４−ジアミノブタン）；
ＴＥＤＡＢ（Ｎ，Ｎ，Ｎ’，Ｎ’−テトラエチル−１，４−ジアミノブタン）
ＥＰＤＡＢ（Ｎ，Ｎ’−ジエチル−Ｎ，Ｎ’−ジプロピル−１，４−ジアミノブタン）
ＴＨＥＥＤ（Ｎ，Ｎ，Ｎ’，Ｎ’−テトラキス（２−ヒドロキシエチル）エチレンジアミン）；
ＤＭＡＰＡＰ（１−［ビス［３−（ジメチルアミノ）］プロピル］アミノ］−２−プロパノール）；または
ＨＭＴＥＴＡ（１，１，４，７，１０，１０−ヘキサメチルトリエチレンテトラミン）
ＭｅＳｐｅ（Ｎ１，Ｎ１’−（ブタン−１，４−ジイル）ビス（Ｎ１，Ｎ３，Ｎ３−トリメチルプロパン−１，３−ジアミン）
メチル化ポリエチレンイミン
ＣＨＴＤＭＡ（１，１’，１’’−（シクロヘキサン−１，３，５−トリイル）トリス（Ｎ，Ｎ，−ジメチルメタミン）
であり、および／または
イオン形態の前記切替可能添加物が、式（２）：
【化３】
2013518718.tif 000003
（式中、Ｒ１、Ｒ２およびＲ３は、請求項２における式（１）に関して定義されたものと同じであり、そしてＥはＯ、ＳまたはＯおよびＳの混合物である）
の化合物である、請求項８〜１７のいずれか一項に記載の方法。
【請求項１９】
（ａ）ＣＯ２、ＣＯＳまたはＣＳ２を感受するための；
（ｂ）ＣＯ２、ＣＯＳまたはＣＳ２を検出するための；
（ｃ）化学的切替のための；
（ｄ）界面活性剤を非活性化するための；
（ｅ）電気を通すための；あるいは
（ｆ）疎水性液または溶媒から水を除去するための請求項１に記載の系。
【請求項２０】
（ａ）前記溶質が化学反応の生成物を含む；および／または前記第一構成成分が水溶性触媒をさらに含む；あるいは（ｂ）前記溶質が触媒を含む、請求項８〜１４のいずれか一項に記載の方法の使用。
【請求項２１】
併合することが、水；溶質；切替可能添加物；ＣＯ２、ＣＯＳ、ＣＳ２またはその組合せ、を疎水性液と併合することをさらに包含し、分離ステップ後に、第二構成成分が疎水性液を含む請求項８〜１４のいずれか一項に記載の方法。